(57)【要約】【課題】限られた設置スペースでも広い浴室空間を確保することができる浴室フレームの連結構造を提供する。【解決手段】本発明の支柱の支持構造は、浴室の下部の縁部に設けられる水返し材（１０１）と、前記縁部に設けられる支柱（１１０）と、前記水返し材に取り付けられ、前記支柱を前記縁部に固定させる支柱固定部材（６，７）と、を備え、前記支柱固定部材は、前記水返し材を厚さ方向で挟持する平板状の挟持部（６１，７１）と、前記挟持部の上方に設けられ、前記水返し材の外周よりも内方で前記支柱を固定する支柱固定部（７２）と、前記水返し材に対する前記支柱固定部材の上方向への離脱を規制する離脱規制部（７３）と、を備えることを特徴とする。【選択図】図１０
2019044452.tif 000002
【特許請求の範囲】
【請求項１】
浴室の下部の縁部に設けられる水返し材と、
前記縁部に設けられる支柱と、
前記水返し材に取り付けられ、前記支柱を前記縁部に固定させる支柱固定部材と、
を備え、
前記支柱固定部材は、
前記水返し材を厚さ方向で挟持する平板状の挟持部と、
前記挟持部の上方に設けられ、前記水返し材の外周よりも内方で前記支柱を固定する支柱固定部と、
前記水返し材に対する前記支柱固定部材の上方向への離脱を規制する離脱規制部と、を備えることを特徴とする支柱の支持構造。
【請求項２】
平面視において、前記支柱固定部は前記挟持部よりも前記浴室の内側に向かうように突出しており、
前記支柱固定部には、前記支柱を固定する固定具を挿入する固定具取付孔を備え、
前記支柱固定部材は、前記固定具取付孔が前記浴室の内側に位置するように配置される請求項１に記載の支柱の支持構造。
【請求項３】
前記支柱固定部材の前記支柱固定部は、前記支柱の側面に当接する少なくとも２面からなる支柱支持面を有し、
前記支柱支持面に前記固定具取付孔が形成され、
前記支柱は前記支柱支持面に面接触した状態で前記浴室の内側において前記固定具により固定されている
請求項２に記載の支柱の支持構造。
【請求項４】
前記支柱固定部材は、前記支柱の角部の位置をガイドする補助ガイドを備える請求項１から請求項３のいずれか一項に記載の支柱の支持構造。
【請求項５】
前記支柱固定部材は、前記挟持部が前記水返し材の隅部に沿って曲折した形状を有し、前記隅部の前記水返し材に取り付けられ、
前記支柱は、前記隅部に立設されるコーナー支柱であり、
前記支柱固定部材には、前記挟持部の上部の曲折したコーナー部に、前記支柱固定部材に対する前記コーナー支柱の位置決めが可能な位置決めガイドが設けられている
請求項１から請求項４のいずれか一項に記載の支柱の支持構造。
【発明の詳細な説明】
【技術分野】
【０００１】
本発明は、支柱の支持構造に関する。
【背景技術】
【０００２】
浴室を構成する部品を予め工場で製造して、施工現場で各部品を組み立てて浴室を構築する浴室ユニットは、工期を短縮でき、且つ、品質を一定に保つことができるため、広く普及している。このような浴室ユニットでは、支柱、横フレーム、壁パネル、天井パネルなどをそれぞれ連結して構築されている（例えば、特許文献１、特許文献２）。
【先行技術文献】
【特許文献】
【０００３】
【特許文献１】特許第５７４０５７１号公報
【特許文献２】特許第５９６３３０３号公報
【発明の概要】
【発明が解決しようとする課題】
【０００４】
近年、新築の建物のみならず、既存の建物の改築・改装を行うリフォームの場合に、浴室空間の広い浴室ユニットを採用したいとのニーズが高まっている。しかし、設置スペースに制約があるため、限られた設置スペースでもより広い浴室空間を確保することが望まれている。特許文献１及び特許文献２の浴室ユニットでは、浴室ユニットの外周部において、支柱とフレームとを係止部材やネジ等で連結しているため、浴室ユニットの外側において、係止部材やネジ等の突出部分が生じている。そのため、浴室ユニットの外周部に、フレームを連結するための部品の設置スペースを確保する必要があり、浴室空間の拡張に制約があった。
【０００５】
上記事情を踏まえ、本発明は、限られた設置スペースでも広い浴室空間を確保することができる浴室フレームの連結構造を提供することを目的とする。
【課題を解決するための手段】
【０００６】
本発明に係る支柱の支持構造は、浴室の下部の縁部に設けられる水返し材と、前記縁部に設けられる支柱と、前記水返し材に取り付けられ、前記支柱を前記縁部に固定させる支柱固定部材と、を備え、前記支柱固定部材は、前記水返し材を厚さ方向で挟持する平板状の挟持部と、前記挟持部の上方に設けられ、前記水返し材の外周よりも内方で前記支柱を固定する支柱固定部と、前記水返し材に対する前記支柱固定部材の上方向への離脱を規制する離脱規制部と、を備えることを特徴とする。
【０００７】
この発明によれば、浴室ユニットの下部の縁部に設けられる水返し材に支柱固定部材が取付けられ、水返し材の外周よりも内方で支柱固定部材の支柱固定部に支柱が固定される。この結果、支柱固定部材を水返し材に直接ネジ等の固定部材で固定しないので、水返し材の材質、例えば、水返し材の材質の硬さ、に拠らずに固定でき、水返し材の外周方向に支柱を固定する部材を締結するための構造の突出量を小さくすることができる。また、浴室ユニットの内壁から外周縁までの寸法を削減可能であり、限られた設置スペースでも広い浴室空間を確保することができる支柱の支持構造を提供できる。
【０００８】
本発明に係る支柱の支持構造は、平面視において、前記支柱固定部は前記挟持部よりも前記浴室の内側に向かうように突出しており、前記支柱固定部には、前記支柱を固定する固定具を挿入する固定具取付孔を備え、前記支柱固定部材は、前記固定具取付孔が前記浴室の内側に位置するように配置されていてもよい。
【０００９】
この発明によれば、固定具取付孔が浴室の内側に位置するように支柱固定部材が配置されているため、支柱を浴室の内側で固定できる。この結果、支柱を支柱固定部材に固定するための固定具が浴室の外側に突出することがなく、浴室ユニットの外周方向への突出量が削減できる。したがって、浴室ユニットの内壁から外周縁までの必要寸法（必要スペース）を削減可能であり、限られた設置スペースでも広い浴室空間を確保することができる支柱の支持構造を提供できる。また、施工時に、浴室の内側で支柱を支柱固定部材に固定できるため、施工が容易である。
【００１０】
本発明に係る支柱の支持構造では、前記支柱固定部材の前記支柱固定部は、前記支柱の側面に当接する少なくとも２面からなる支柱支持面を有し、前記支柱支持面に前記固定具取付孔が形成され、前記支柱は前記支柱支持面に面接触した状態で前記浴室の内側において前記固定具により固定されていてもよい。
【００１１】
この発明によれば、浴室の内側の位置で、支柱固定部材の支柱固定部の支柱支持面に固定具取付孔が形成されており、支柱を支柱支持面に面接触させた状態で固定具により固定できる。この結果、支柱固定部材は、支柱を少なくとも２平面で面接触させて固定具で安定して固定させることができる。また、その固定位置が浴室の内側に位置するため、浴室ユニットの外周方向への突出量を抑えることができ、且つ、水返し部の上方に設けられる壁パネルの厚さの範囲内のスペースに支柱の固定位置を設けることができる。したがって、浴室ユニットの内壁から外周縁までの寸法を削減可能である。
【００１２】
本発明に係る支柱の支持構造は、前記支柱固定部材は、前記支柱の角部の位置をガイドする補助ガイドを備えていてもよい。
【００１３】
この発明によれば、施工時に支柱を支柱固定部材の支柱固定部に配置する際、補助ガイドにより支柱の取付位置がガイドされるため、支柱の支柱固定部材への取付作業が容易になる。
【００１４】
本発明に係る支柱の支持構造は、前記支柱固定部材は、前記挟持部が前記水返し材の隅部に沿って曲折した形状を有し、前記隅部の前記水返し材に取り付けられ、前記支柱は、前記隅部に立設されるコーナー支柱であり、前記支柱固定部材には、前記挟持部の上部の曲折したコーナー部に、前記支柱固定部材に対する前記コーナー支柱の位置決めが可能な位置決めガイドが設けられていてもよい。
【００１５】
この発明によれば、コーナー支柱を支柱固定部材に固定する場合に、挟持部の上部の曲折したコーナー部に位置決めガイドが設けられているため、支柱固定部材に対するコーナー支柱の位置決めが容易である。したがって、コーナー支柱の固定部への取付作業が容易となる。
【発明の効果】
【００１６】
本発明によれば、限られた設置スペースでも広い浴室を確保することができる支柱の支持構造を提供できる。
【図面の簡単な説明】
【００１７】
【図１】本発明の一実施形態の浴室ユニットの一部を示す斜視図である。
【図２】本発明の一実施形態の浴室ユニットの支柱の支持構造を示す分解斜視図である。
【図３】本発明の一実施形態のコーナー支柱が取付けられたコーナー支柱固定部材を内方から見た斜視図である。
【図４】本発明の一実施形態のコーナー支柱が取付けられたコーナー支柱固定部材を外方から見た斜視図である。
【図５】本発明の一実施形態の浴室ユニットのコーナー支柱の支持構造を示す断面図である。
【図６】本発明の一実施形態の平面支柱の支持構造を内方から見た斜視図である。
【図７】本発明の一実施形態の平面支柱の支持構造を外方から見た斜視図である。
【図８】本発明の一実施形態の平面支柱の支持構造を内方から見た斜視図である。
【図９】本発明の一実施形態の平面支柱の支持構造の横断面図である。
【図１０】図９のＸ−Ｘ線における縦断面図である。
【図１１】本発明の一実施形態の浴室ユニットのコーナー支柱の上部のフレーム連結構造を示す分解斜視図である。
【図１２】本発明の一実施形態の係止部材本体を示す斜視図である。
【図１３】本発明の一実施形態の係止部材の挟持片を示す斜視図である。
【図１４】本発明の一実施形態の係止部材を示す斜視図である。
【図１５】本発明の一実施形態の浴室ユニットのコーナー支柱の上部のフレーム連結構造を示す横断面図である。
【図１６】本発明の係止部材の変形例を示す斜視図である。
【発明を実施するための形態】
【００１８】
本発明の一実施形態に係る浴室ユニットについて説明する。図１は本実施形態の浴室ユニット１００の外方の一部を示す斜視図である。図２は、本実施形態の浴室ユニット１００の支柱の支持構造３０１，３０２を示す分解斜視である。図３は本実施形態のコーナー支柱（支柱）１１１が取付けられたコーナー支柱固定部材１を内方から見た斜視図である。図４は、本実施形態のコーナー支柱１１１が取付けられたコーナー支柱固定部材１を外方から見た斜視図である。図５は、本実施形態の浴室ユニット１００のコーナー支柱の支持構造３０１を示す断面図である。図６は、本実施形態の平面支柱の支持構造３０２を内方から見た斜視図である。図７は、本実施形態の平面支柱の支持構造３０２を外方から見た斜視図である。図８は、本実施形態の平面支柱の支持構造３０２を内方から見た斜視図である。図９は、本実施形態の平面支柱の支持構造３０２の横断面図である。図１０は、本発明の一実施形態の平面支柱の支持構造３０１の縦断面図である。
【００１９】
なお、図面において、同一又は類似の部分には同一の符号を付して、重複する説明を省く場合がある。また、図面における要素の形状及び大きさなどはより明確な説明のために誇張されることがある。また、以下の説明では、特に断らない限り、浴室ユニット１００が組み立てられた状態における各部材の姿勢について説明する。
【００２０】
浴室ユニット１００は、建物の躯体内にフレームとパネルとを用いて、床、壁、天井及び浴槽等を組み立てて設置される。図１に示すように、浴室ユニット１００の下部には、縁部に設けられる水返し材１０１が設けられている。浴室ユニット１００の隅部には、コーナー支柱（支柱）１１１が立設され、コーナー支柱１１１，１１１間に平面支柱（支柱）１１０が立設され、コーナー支柱１１１と平面支柱１１０との間に壁パネル１０２が取付けられて浴室ユニット１００の壁部が形成される。コーナー支柱１１１の上部間には、長尺な横フレーム１０３が水平方向に架設される。横フレーム１０３で囲まれたスペースに天井パネル１０４が取付けられる。
【００２１】
水返し材１０１は、浴室ユニット１００の下部の外周縁部に設けられる場合と、洗い場の床面の縁部および浴槽のフランジの縁部に設けられる場合とがある。壁パネル１０２は、水返し材１０１の上方に設けられる。そのため、壁パネル１０２は、浴室ユニット１００の下部の外周縁部に立設される場合と、洗い場の床面の縁部および浴槽のフランジの縁部に立設される場合とがある。以下、水返し材１０１が設けられる浴室ユニット１００の縁部とは、浴室ユニット１００の下部の外周縁部、洗い場の床面の縁部、および浴槽のフランジの縁部を含む。
【００２２】
図１に示すように、浴室ユニット１００の下部において、水返し材１０１にコーナー支柱固定部材１及び平面支柱固定部材２が取付けられ、コーナー支柱固定部材１にコーナー支柱１１１が固定され、平面支柱固定部材２に平面支柱１１０が固定される。
【００２３】
水返し材１０１は、アルミニウム製の押出形材であり、浴室ユニット１００の下縁枠（不図示）に固定されている。図５、図６及び図１０に示すように、水返し材１０１は、下縁枠への固定部１１０１と、固定部１１０１の外周端部から上側に立ち上がる起立壁１１０２とで略Ｌ字状の縦断面形状を有する。
【００２４】
コーナー支柱１１１は、水平断面形状が略矩形のアルミニウム製の長尺な押出形材である。図２及び図５に示すように、コーナー支柱１１１は、外側に配置される２つの外平面部１１１ａが互いに直交する位置に配置され、外平面部１１１ａ同士は、接続平面１１１ｂで接続されて角部が面取りされた形状を有する。２つの内平面部１１１ｃは、２つの外平面部１１１ａの接続平面１１１ｂとの接続部とは反対側の端部から内側に略直交方向に曲折して延びており、各内側端部１１１ｄ同士が離間して開口が形成されている。図５に示すように、コーナー支柱１１１の各内側端部１１１ｄは、水返し材１０１の起立壁１１０２に平行な方向に曲折している。
【００２５】
平面支柱１１０は、アルミニウム製の長尺な押出形材であり、図２及び図９に示すように、外平面部１１０ａと、外平面部１１０ａの水平方向両端部から内側に略直交する方向に延びる内平面部１１０ｃと、各内平面部１１０ｃの内側端部から互いに近付く方向に傾斜する傾斜平面１１０ｂと、傾斜平面１１０ｂの内側端部間の開口から外平面部１１０ａと略平行に離間する方向に延びる当接部１１０ｄとを有する。当接部１１０ｄは壁パネル１０２（図１参照）に当接する。
【００２６】
図２及び図１１に示すように、コーナー支柱１１１の上端の開口は、後述するフレーム係止部材８の挿入部８２が挿入される受け部１１１ｇである。コーナー支柱１１１の受け部１１１ｇのうち、外平面部１１１ａには、厚さ方向に貫通する係合孔１１１ｆ,１１１ｆが形成されている。
【００２７】
図２から図６に示すように、コーナー支柱固定部材１は、外部材５と内部材４とで構成されている。外部材５は、水返し材１０１の隅部１０１ａの外側に配置される部材であり、内部材４は水返し材１０１の内側に配置される部材である。
【００２８】
外部材５は、アルミニウム製の一枚の平板部材を曲げ加工等により形成された部材であり、外挟持部５１と、コーナー支柱固定部５２，５２と、離脱規制部５３と、当接部５４，５４と、コーナー部５５とを有する。
【００２９】
外挟持部５１は、水返し材１０１の外面に当接する部分である。外挟持部５１は、水返し材１０１の外面の高さと略等しい２つの平板が鉛直方向に配置され、２つの外挟持部５１同士が水返し材１０１の隅部の外面形状に沿って互いに直交する向きに設けられている。２つの外挟持部５１，５１間の湾曲するコーナー部５５は円弧状に湾曲している。
【００３０】
各外挟持部５１の下端に、離脱規制部５３，５３が形成されている。離脱規制部５３，５３は、外挟持部５１，５１の下端部から曲折して内側に突出した突出片である。
【００３１】
当接部５４，５４は、各外挟持部５１の上端から鉛直上方に延出して形成されている。したがって、当接部５４，５４同士も水返し材１０１の隅部の形状に沿って互いに直交する向きに設けられている。当接部５４，５４には、厚さ方向に貫通する固定具取付孔５４１，５４１が形成されている。当接部５４，５４は後述する内部材４と当接する平板部である。
【００３２】
外部材５のコーナー部５５側における当接部５４，５４の端部には、コーナー支柱固定部（支柱固定部）５２，５２が設けられている。コーナー支柱固定部５２，５２は、当接部５４，５４のコーナー部５５側の端部から内側に略直交する方向に延設されている。コーナー支柱固定部５２，５２には、厚さ方向に貫通する固定具取付孔５２１，５２１がそれぞれ形成されている。
【００３３】
内部材４は、アルミニウム製の一枚の平板部材を曲げ加工等により形成された部材であり、内挟持部４１，４１と、当接部４４，４４と、コーナー部４５と、コーナー支柱当接片４２，４２と、位置決めガイド４３と、補助ガイド４８，４８とを有する。
【００３４】
内挟持部４１は、水返し材１０１の内面に当接する部分である。内挟持部４１は、外挟持部５１の上下方向の寸法より短い寸法の２つの平板が鉛直方向に配置され、水返し材１０１の隅部の内面形状に沿って互いに直交する向きに設けられている。２つの内挟持部４１間のコーナー部４５は、内挟持部４１，４１間を繋ぐ平面状に形成されている。内挟持部４１，４１には上下方向に延びるリブ４６が複数形成され、強度が補強されている。
【００３５】
当接部４４，４４は、各内挟持部４１の上端から上方に延出して形成されている。当接部４４，４４同士も水返し材１０１の隅部の内形状に沿って互いに直交する向きに設けられている。内部材４は、内挟持部４１の外面が水返し材１０１の内面に当接し当接部４４，４４が外部材５の当接部５４，５４と面接触する。そのため、内部材４では、内挟持部４１と当接部４４との間に、水返し材１０１の厚さに対応する段部４７が形成されている。当接部４４は、内挟持部４１よりも外側で鉛直方向に延びる平面が形成されている。この構成により、図４及び図５に示すように、外部材５の外面は略面一な平面部が形成され、外部材５の外方への突出量が抑えられる。
当接部４４，４４には、厚さ方向に貫通する固定具取付孔４４１，４４１が形成されている。
【００３６】
図２から図５に示すように、コーナー部４５側の当接部４４の上端部には、外側に曲折する補助ガイド４８，４８が設けられている。補助ガイド４８の下端部と、内挟持部４１の上端との間の距離は、外部材５のコーナー支柱固定部５２の上下方向の寸法よりわずかに長い。
【００３７】
コーナー支柱当接片（支柱固定部）４２，４２は、コーナー部４５側の内挟持部４１の上端から上方に爪状に突出している。
【００３８】
位置決めガイド４３は、コーナー部４５の上端から上方に突出して設けられている。位置決めガイド４３は、図４及び図５に示すように、コーナー部４５の外面よりも外側に曲折した段部４３１と、段部４３１が鉛直上方に延出した平板部４３２とで構成されている。
【００３９】
平面支柱固定部材２は、外部材７と内部材６とで構成されている。
【００４０】
外部材７は、水返し材１０１の隅部１０１ａ間の平面部１０１ｂの外側に配置される部材であり、内部材４は水返し材１０１の平面部１０１ｂの内側に配置される部材である。
【００４１】
外部材７は、アルミニウム製の一枚の平板部材を曲げ加工等により形成された部材であり、外挟持部７１と、平面支柱固定部７２，７２と、離脱規制部７３，７３と、当接部７４，７４とを有する。
【００４２】
外挟持部７１は、水返し材１０１の平面部１０１ｂの外面に当接する部分である。外挟持部７１は、水返し材１０１の外面の高さと略等しい平板が鉛直方向に配置されている。外挟持部７１には上下方向に延びるリブ７６が複数形成され、強度が補強されている。
【００４３】
外挟持部５１の下端に、２つの離脱規制部７３，７３が形成されている。離脱規制部７３，７３は、外挟持部７１の下端部から曲折して内側に突出した突出片である。
【００４４】
当接部７４，７４は、外挟持部７１の上端から鉛直上方に延出して形成されている。当接部７４，７４には、厚さ方向に貫通する固定具取付孔７４１，７４１が形成されている。当接部７４，７４は内部材６と当接する平板部である。
【００４５】
当接部７４，７４の幅方向（水返し材１０１の長尺方向）の内側の端部には、それぞれ平面支柱固定部（支柱固定部）７２，７２が設けられている。平面支柱固定部７２，７２は、当接部７４，７４の幅方向内側の端部から、内方に略直交する方向に延設されている。平面支柱固定部７２，７２には、厚さ方向に貫通する固定具取付孔７２１，７２１がそれぞれ形成されている。
【００４６】
内部材６は、アルミニウム製の一枚の平板部材を曲げ加工等により形成された部材であり、内挟持部６１と、当接部６４，６４と、位置決めガイド６３と、補助ガイド６８，６８とを有する。
【００４７】
内挟持部６１は、水返し材１０１の平面部１０１ｂの内面に当接する部分である。内挟持部６１は、外挟持部７１の上下方向の寸法より短い寸法の平板が鉛直方向に配置されている。内挟持部６１，６１には上下方向に延びるリブ６６が複数形成され、強度が補強されている。
【００４８】
当接部６４，６４は、内挟持部６１の上端のうち、幅方向の両端部からそれぞれ上方に延出して形成されている。２つの当接部６４，６４間は、平面支柱１１０が配置可能な程度に幅方向に離間している。内部材４は、内挟持部４１の外面が水返し材１０１の平面部１０１ｂの内面に当接し、当接部６４，６４が外部材７の当接部７４，７４と面接触する。そのため、内部材６では、内挟持部６１と当接部６４との間に、水返し材１０１の厚さに対応する段部６７が形成されている。当接部６４，６４は、内挟持部４１よりも外側で鉛直方向に延びる平面が形成されている。この構成により、図７に示すように、外部材５の外面は外方への突出量が抑えられる。
当接部６４，６４には、厚さ方向に貫通する固定具取付孔６４１，６４１が形成されている。
【００４９】
図２及び図６から図８に示すように、当接部６４，６４の幅方向内側の上端部には、外側に曲折する補助ガイド６８，６８が設けられている。補助ガイド６８の下端部と、内挟持部６１の上端との間の距離は、外部材７の平面支柱固定部７２の上下方向の寸法よりわずかに長い。
【００５０】
位置決めガイド６３は、内挟持部６１の幅方向の略中央部の上端から上方に突出して設けられている。位置決めガイド６３は、図２に示すように、段部６７から鉛直上方に延出した平板部６３２を有する。
【００５１】
次に、浴室ユニット１００の上部の構成について説明する。図１１は、コーナー支柱１１１と横フレーム１０３との連結構造（浴室フレームの連結構造）３００の分解斜視図である。図１２は、本実施形態の係止部材本体８１を示す斜視図である。図１３は、本実施形態の係止部材８の挟持片９を示す斜視図である。図１４は、本実施形態の係止部材８に横フレーム１０３を取り付ける態様を示す斜視図である。図１５は、本実施形態の浴室ユニットのコーナー支柱１１１の上部のフレーム連結構造３００を示す横断面図である。
【００５２】
図１及び図１１に示すように、コーナー支柱１１１の上部側には横フレーム１０３が架設されている。コーナー支柱１１１の上部には、フレーム係止部材（係止部材）８が取付けられ、フレーム係止部材８に横フレーム１０３が連結されている。
【００５３】
横フレーム１０３は、図１及び図１１に示すように、アルミニウム製の形材からなる長尺部材である。横フレーム１０３は、長尺方向に延びる複数の平面を有する。具体的には、下面１０３ｂと、外側側面１０３ａと、内側側面１０３ｃと、傾斜面１０３ｄと、を有する。下面１０３ｂは平面視略長方形の平面である。外側側面１０３ａ及び内側側面１０３ｃは、下面１０３ｂの長尺方向に平行に延びる２つの縁端部から鉛直上方に立設される平面である。傾斜面１０３ｄは、内側側面１０３ｃの上端から外方に曲折して斜め下方に延設される。横フレーム１０３の内側側面１０３ｃの長尺方向の両側の端部１０３ｆでは、内側の平面の高さが外側側面１０３ａの高さと略等しい高さの挿入片１０３ｅが形成されている。挿入片１０３ｅにおける下面１０３ｂと内側側面１０３ｃとの境界部分の角部には、厚さ方向に貫通する矩形の貫通孔１０３ｇが形成されている。
【００５４】
フレーム係止部材８は、係止部本体８１と、挟持片９と、係止部本体８１の下方に形成される挿入部８２と、を備える。フレーム係止部材８は、コーナー支柱１１１の上端に取り付けられ、横フレーム１０３をコーナー支柱１１１に連結する部材である。
【００５５】
図１２及び図１４に示すように、挿入部８２は、コーナー支柱１１１の上端の受け部１１１ｇに挿入される部分である。挿入部８２は、コーナー支柱１１１の受け部１１１ｇの開口形状に沿った水平断面形状で形成されており、コーナー支柱１１１の受け部１１１ｇに挿入されると、挿入部８２の外側の面がコーナー支柱１１１の内面に当接して係合可能な形状を有する。
【００５６】
さらに、挿入部８２の外面のうち、受け部１１１ｇの内面と対向する面に凸部８２１が形成されている。凸部８２１は、挿入部８２の外側の面であって、コーナー支柱１１１の外平面部１１１ａの内面と対向する面に、外方に向かって突出している。凸部８２１の周囲には、Ｕ字形状の切り欠きが形成された切り欠き部８２１ａが形成されており、凸部８２１に外方から力が加わると、挿入部８２の内方側へ弾性変形可能に構成されている。
【００５７】
係止部本体８１は、挿入部８２よりも水平断面寸法が大きく、挿入部８２と係止部本体８１との間に段差が形成され、係止部本体８１の下端部がコーナー支柱１１１の上端と当接する当接部となるように構成されている。図１及び図１１に示すように、係止部本体８１の外方側の面は、コーナー支柱１１１の外平面部１１１ａに沿って平面視略Ｌ字型に形成されている。図１２に示すように、係止部本体８１の説明において、平面視略Ｌ字型の内コーナーを形成する二面を内側面８１ａ，８１ａと称し、係止部本体８１に連結される横フレーム１０３の長尺方向に交差する面を横側面８１ｂ,８１ｂと称する。また、内側面８１ａ,８１ａが面する側を係止部本体８１の内方側と称する。
【００５８】
図１２に示すように、係止部本体８１の内方側には、横フレーム挿入部８３が形成されている。横フレーム挿入部８３は、平面視略Ｌ字型に形成され、内方側に開口する縦断面が矩形の溝形状を有し、内側面８１ａ,８１ａの全域に亘って開口している。横フレーム挿入部８３は、横側面８１ｂ,８１ｂに略Ｕ字型の横開口８３ａが形成されている。
【００５９】
下面８３２は水平面であり、複数の凸部８３４が形成されている。横フレーム挿入部８３の下面８３２と対向する上面８３３との間を接続し、下面８３２から上方に延びる縦内面８３１には、横フレーム挿入部８３のコーナー８５の近傍に係止凸片（規制部）８４，８４が設けられている。係止凸片８４，８４は、縦内面８３１から内方に向かって水平方向に突出して形成されている。
【００６０】
横フレーム挿入部８３の下面８３２のコーナー８５部分には、下方に延びる挿入孔８５１が形成されている。挿入孔８５１は、縦内面８３１のコーナー８５に近接しており、挿入孔８５１の上方は上面８３３が形成されずに開放されている。
【００６１】
横フレーム挿入部８３の下面８３２のうち、挿入孔８５１よりも内方側には、下方に窪む係止溝８６が形成されている。
【００６２】
横フレーム挿入部８３の横開口８３ａの下方には、横側面８１ｂ,８１ｂに沿って下方に突出する支柱係止部８８，８８が形成されている。
【００６３】
図１２及び図１４に示すように、横フレーム挿入部８３の横開口８３ａの上方には、横側面８１ｂ,８１ｂの上端部から突出する延出部８１ｃが設けられている。なお、図１４では、一方の横側面８１ｂの一部を破断して示しており、一方の延出部８１ｃは記載を省略している。延出部８１ｃは、平面視において、係止部本体８１の上面の内外方向の寸法が先細りとなるテーパー形状を有し、延出端が係止部本体８１の外周面よりも内方且つ内側面８１ａよりも外方に位置する。延出部８１ｃには、延出端から下方に突出する補助爪８１ｄが設けられている。
【００６４】
係止部本体８１の上面には、上方に突出する仮係止部８７，８７が形成されている。また、コーナー８５の上部は、上方に突出するコーナー凸部８９が形成されている。
【００６５】
挟持片９は、図１３に示すように、縦長形状の樹脂成型部材である。挟持片９は、本体部９０と、本体部９０から下方に突出する第１係止部９１及び第２係止部９２とを有する。第１係止部９１は、本体部９０の外方端９０ａに沿って下方に突出する。第２係止部９２は、本体部９０の内方端９０ｂ側から下方に突出し、第１係止部９１よりも内方に位置する。第２係止部９２の下端部には外方側に係止爪９２ａを備える。本体部９０と第２係止部９２の外方側の上端部との接続部分には、係止凸部９４が形成されている。
【００６６】
次に、コーナー支柱１１１ならびに平面支柱１１０の取付方法及び支持構造３０１,３０２について説明する。まず、コーナー支柱１１１の取付方法及び支持構造３０１について説明する。
【００６７】
水返し材１０１の隅部１０１ａの内面側に内部材４を配置し、外面側に外部材５を配置する。内挟持部４１と外挟持部５１とで、コーナー支柱固定部材１の挟持部が構成されている。内部材４は、内挟持部４１の外面を隅部１０１ａの内面に当接させ、段部４７を水返し材１０１の上端に当接させる。
【００６８】
外部材５は、離脱規制部５３，５３を水返し材１０１の隅部１０１ａの外面側の下部に当接させ、外挟持部５１を水返し材１０１の外面に当接させる。このとき、図３及び図５に示すように、コーナー支柱固定部５２，５２が内部材４の内挟持部４１の上端と補助ガイド４８の下端との間であって、当接部４４とコーナー支柱当接片４２との間に進入する。この結果、内部材４と外部材５とは、水返し材１０１を挟んで仮係止される。内部材４と外部材５とが仮係止された状態で、内部材４の当接部４４，４４の外面と外部材５の当接部５４，５４の内面とを当接させて、ねじ９０１等の固定部材を、内方から内部材４及び外部材５の固定具取付孔４４１，５４１に挿入して、内部材４と外部材５とを固定する。これにより、コーナー支柱固定部材１は水返し材１０１の隅部１０１ａを厚さ方向に挟持して、水返し材１０１に固定される。このとき、外部材５の離脱規制部５３が水返し材１０１の下端部に当接しているため、コーナー支柱固定部材１は水返し材１０１に対する上下方向の移動が規制され、コーナー支柱固定部材１が水返し材１０１から外れることが防止される。その結果、コーナー支柱固定部材１を水返し材１０１に安定して固定できる。
【００６９】
コーナー支柱１１１は、コーナー支柱固定部材１のコーナー支柱固定部５２，５２に固定される。具体的には、内部材４及び外部材５の挟持部４１，５１及びコーナー部４５，５５の上端に、コーナー支柱１１１の下端部を載置し、２つの内平面部１１１ｃをコーナー支柱固定部５２，５２に当接させる。
【００７０】
このとき、内部材４の位置決めガイド４３の内面がコーナー支柱１１１の傾斜平面１１０ｂの外面に当接し、コーナー支柱１１１の位置をガイドする。また、内部材４のコーナー支柱当接片４２がコーナー支柱１１１の内面に位置し、コーナー支柱固定部５２，５２とコーナー支柱当接片４２でコーナー支柱１１１を挟む。さらに、図３及び図５に示すように、コーナー支柱１１１の内平面部１１１ｃと外平面部１１１ａとの各外側角部１１１ｅ，１１１ｅに内部材４の補助ガイド４８，４８がそれぞれ当接して、コーナー支柱１１１が水返し材１０１の隅部１０１ａの外方に移動するのを規制する。
【００７１】
この状態で、ねじ９１０を用いて、コーナー支柱固定部５２，５２の固定具取付孔５２１，５２１に、隅部１０１ａの内方からコーナー支柱１１１を固定し、コーナー支柱固定部材１を介して、コーナー支柱１１１を水返し材１１０に固定する。
【００７２】
次に、平面支柱１１０の取付方法及び支持構造３０２について説明する。
水返し材１０１の平面部１０１ｂの内面側に内部材６を配置し、外面側に外部材７を配置する。内挟持部６１と外挟持部７１とで、平面支柱固定部材２の挟持部が構成されている。内部材６は、内挟持部６１の外面を平面部１０１ｂの内面に当接させ、段部６７を水返し材１０１の上端に当接させる。
【００７３】
外部材７は、離脱規制部７３，７３を水返し材１０１の平面部１０１ｂの外面側の下部に当接させ、外挟持部７１を水返し材１０１の外面に当接させて挟持する。このとき、図８に示すように、平面支柱固定部７２，７２が、内部材６の内挟持部６１の上端と補助ガイド６８の下端との間であって、当接部６４と位置決めガイド６３との間に進入する。この結果、内部材６と外部材７とは、水返し材１０１を挟んで仮係止される。内部材６と外部材７とが仮係止された状態で、内部材６の当接部６４，６４の外面と外部材７の当接部７４，７４の内面とを当接させて、ねじ９０１等の固定部材を、内方から内部材６及び外部材７の固定具取付孔６４１，７４１に挿入して、内部材６と外部材７とを固定する。これにより、平面支柱固定部材２は水返し材１０１の平面部１０１ｂを厚さ方向に挟持して、水返し材１０１に固定される。このとき、図１０に示すように、外部材７の離脱規制部７３が水返し材１０１の下端部に当接しているため、平面支柱固定部材２は水返し材１０１に対する上下方向移動が規制され、平面支柱固定部材２が水返し材１０１から外れることが防止される。
【００７４】
図６及び図７に示すように、平面支柱１１０は、平面支柱固定部材２の平面支柱固定部７２，７２に固定される。具体的には、内部材６及び外部材７の挟持部６１，７１の上端に、平面支柱１１０の下端部を載置し、２つの内平面部１１０ｃをコーナー支柱固定部５２，５２に当接させる。
【００７５】
このとき、内部材６の位置決めガイド６３の外面が平面支柱１１０の外平面部１１０ａの内面に当接し、平面支柱１１０の位置をガイドする。また、内部材６の位置決めガイド６３が平面支柱１１０の内面に位置し、平面支柱固定部７２，７２と位置決めガイド６３とで平面支柱１１０を挟む。さらに、図９に示すように、平面支柱１１０の内平面部１１０ｃと外平面部１１０ａとの外側角部１１０ｅに内部材６の補助ガイド６８，６８が当接して、平面支柱１１０が水返し材１０１の平面部１０１ｂの外方に移動するのを規制する。
【００７６】
この状態で、ねじ９１０を用いて、平面支柱固定部７２，７２の固定具取付孔７２１，７２１に、水返し材１０１の内方から平面支柱１１０を固定する。
【００７７】
次に、支柱及び横フレームの取付方法及び連結構造３００について説明する。
コーナー支柱１１１の上端の受け部１１１ｇにフレーム係止部材８の挿入部８２が挿入されると、挿入部８２の凸部８２１が受け部１１１ｇの内面に当接して押圧され、切り欠き部８２１ａが弾性変形して撓み、凸部８２１が内方に移動する。係止部本体８１の下端がコーナー支柱１１１の上端に当接する位置まで挿入部８２が挿入されると、凸部８２１，８２１がコーナー支柱１１１の係合孔１１１ｆ,１１１ｆに配設されてコーナー支柱１１１の内面からの押圧力が解除され、切り欠き部８２１ａが元の位置に復元し、凸部８２１，８２１が係合孔１１１ｆ,１１１ｆに係合される。これにより、フレーム係止部材８がコーナー支柱１１１の上方に抜けることが防止される。
【００７８】
また、係止部本体８１の下端がコーナー支柱１１１の上端に当接する位置まで挿入部８２が挿入されると、支柱係止部８８がコーナー支柱１１１の外側角部１１１ｅの外側に配置され、挿入部８２と支柱係止部８８とにより、コーナー支柱１１１が挟持される。この結果、挿入部８２を受け部１１１ｇに挿入する簡単な操作で、係止部本体８１がコーナー支柱１１１に安定的に係合される。
【００７９】
次に、横フレーム１０３を連結する。横フレーム１０３を浴室内側からフレーム係止部材８に近付け、横フレーム１０３の挿入片１０３ｅを、横フレーム挿入部８３の内側面８１ａ側から挿入する。このとき、横フレーム１０３の外側側面１０３ａの上端部が補助爪８１ｄに当接する。横フレーム１０３をさらに押し込むと、横フレーム１０３の押圧力により延出部８１ｃが弾性変形して補助爪８１ｄが外側側面１０３ａを乗り越え、外側側面１０３ａは補助爪１０３と横フレーム挿入部８３の縦内面８３１との間に配置される。また、図１４に示すように、横フレーム１０３の内側側面１０３ｃの長尺方向の両側に位置する端部１０３ｆが係止部本体８１の横側面８１ｂに当接する位置まで近付けて、挿入片１０３ｅの端部が横フレーム挿入部８３のコーナー８５近傍に位置するように横フレーム１０３が挿入される。
【００８０】
この結果、挿入片１０３ｅの貫通孔１０３ｇ（図１１参照）に係止凸片８４が挿入され、横フレーム１０３が横フレーム挿入部８３に収容される。横フレーム挿入部８３の縦内面８３１の高さは、横フレーム１０３の外側側面１０３ａの高さと略等しい。したがって、この状態で、横フレーム１０３は、係止凸片８４と貫通孔１０３ｇとの係合で横フレーム１０３の長尺方向の移動が規制される。また、横フレーム挿入部８３の下面８３２、上面８３３及び縦内面８３１により、横フレーム１０３の上下方向の移動が規制される。また、補助爪１０３により、横フレーム１０３の長尺方向に直交する方向（横フレーム１０３の横フレーム挿入部８２への挿入方向）への移動が規制される。この結果、後述する挟持片９装着前に横フレーム１０３が横フレーム挿入部８３から脱落することを防ぐことができる。
【００８１】
なお、横フレーム１０３を浴室内側からフレーム係止部材８に近付ける際、横フレーム１０３の他方の端部は、隣のコーナー支柱１１１に設けられたフレーム係止部材８の仮係止部８７に、横フレーム１０３の他端部の貫通孔１０３ｇを上方から挿入すると横フレーム１０３が容易に仮支持され、横フレーム１０３の連結作業が容易となる。
【００８２】
次に、挟持片９を内方の上方からフレーム係止部材８のコーナー８５に近付け、挟持片９の第１係止部９１を係止部本体８１の挿入孔８５１に挿入する。挟持片９の上端がコーナー凸部８９の上端と略等しい位置となるまで第１係止部９１が挿入孔８５１に挿入されると、挟持片９の係止凸部９４が、係止溝８６に挿入され、第２係止部９２の係止爪９２ａが、係止溝８６の下側であって挿入部８２の内方に形成された係止面８２ｃに係止される（図１４参照）。これにより、挟持片９がフレーム係止部材８に係合する。
【００８３】
挟持片９がフレーム係止部材８に係合すると、図１５に示すように、横フレーム１０３の挿入片１０３ｅの外側側面１０３ａが、挟持片９の本体部９０と、横フレーム挿入部８３との間に挟持される。この結果、このように連結された横フレーム１０３は、コーナー支柱１１１の上方であり、且つ、コーナー支柱１１１の外平面部１１１ａよりも外方に突出することなく、コーナー支柱１１１に連結される。また、横フレーム１０３は、内外方向への移動が規制され、フレーム係止部材８に連結される。この構成により、ねじ等の固定部材を使用することなく、浴室ユニット１００の内方から横フレーム１０３をコーナー支柱１１１に連結できる。
【００８４】
上記実施形態では、挟持片９は、フレーム係止部材８と別部材で構成される例を示したが、図１６に示すように、連結部９３を介して挟持片９をフレーム係止部材８に接続する構成であってもよい。連結部９３は、挟持片９ならびにフレーム係止部材８と別部材であってもよい。また、フレーム係止部材８、挟持片９、連結部９３を樹脂で一体成型してもよい。
【００８５】
本実施形態に係る支柱の支持構造３０１，３０２によれば、浴室ユニット１００の下部の縁部に設けられる水返し材１０１に支柱固定部材１，２が取付けられ、水返し材１０１の外周よりも内方で支柱固定部材２，３の支柱固定部４２，５２，７２に支柱が固定される。つまり、水返し材１０１を挟持する支柱固定部材２，３に支柱１１０，１１１を支持する構造である。この結果、支柱固定部材２，３を水返し材１０１に直接ねじ等の固定部材で固定しないため、水返し材１０１の材質、例えば、水返し材の材質の硬さ、に拠らずに固定でき、水返し材１０１の外周方向に支柱１１０，１１１を固定する部材を締結するための構造の突出量を小さくすることができる。また、浴室ユニット１００の内壁から外周縁までの寸法を削減可能であり、限られた設置スペースでも広い浴室空間を確保することができる。
ここでいう水返し材１０１の外周よりも内方とは、支柱（コーナー支柱１１１及び平面支柱１１０）が水返し材１０１の外側面から外方に突出しない範囲であり、水返し材１０１の外側面と同面上で支柱１１０，１１１が支柱固定部材１，２に取り付けられる構造を含む。
【００８６】
本実施形態に係る支柱の支持構造３０１，３０２によれば、固定具取付孔５２１,７２１が浴室の内側に位置するように支柱固定部材が配置されているため、支柱１１０,１１１を浴室の内側で固定できる。この結果、支柱１１０，１１１を支柱固定部材１，２に固定するための固定具９１０が浴室の外側に突出することがなく、浴室ユニット１００の外周方向への突出量が削減できる。したがって、浴室ユニット１００の内壁から外周縁までの必要寸法（必要スペース）を削減可能であり、限られた設置スペースでも広い浴室空間を確保することができる支柱１１０，１１１の支持構造を提供できる。また、施工時に、浴室の内側で支柱１１０，１１１を支柱固定部材に固定できるため、施工が容易である。
【００８７】
本実施形態に係る支柱の支持構造３０１，３０２によれば、浴室の内側の位置で、支柱固定部材１，２の支柱固定部５２，７２の平面に固定具取付孔５２１，７２１が形成されており、支柱１１０，１１１を支柱固定部５２，７２の平面に面接触させた状態で固定具により固定できる。この結果、支柱固定部材は、支柱１１０，１１１を少なくとも２平面で面接触させて固定具９１０で安定して固定させることができる。また、その固定位置が浴室の内側に位置するため、浴室ユニット１００の外周方向への突出量を抑えることができ、且つ、水返し部１０１の上方に設けられる壁パネルの厚さの範囲内のスペースに支柱の固定位置を設けることができる。したがって、浴室ユニット１００の内壁から外周縁までの寸法を削減可能である。
【００８８】
本実施形態に係る支柱の支持構造３０１，３０２によれば、施工時に支柱１１０，１１１を支柱固定部材１，２の支柱固定部２，７２に配置する際、補助ガイド４８，６８により支柱１１０，１１１の取付位置がガイドされるため、支柱１１０，１１１の支柱固定部材１，２への取付作業が容易になる。
【００８９】
本実施形態に係る支柱の支持構造３０１，３０２によれば、コーナー支柱１１１を支柱固定部材１に固定する場合に、挟持部４１，５１の上部の曲折したコーナー部に位置決めガイド４３が設けられているため、支柱固定部材１に対するコーナー支柱１１１の位置決めが容易である。したがって、コーナー支柱１１１の支柱固定部材１への取付作業が容易となる。
【００９０】
上記実施形態では、コーナー支柱１１１を支持固定部材１へ容易に取り付けるため、コーナー支柱固定部材１の内部材４に位置決めガイド４３を設けた例を示したが、コーナー支柱１１１の支持部材を浴室ユニット１００の外方に突出させないという目的においては、補助ガイド４３は必須の構成ではない。
【００９１】
上記実施形態では、支柱１１０，１１１を支持固定部材１，２に容易に取り付けられるようにするために支柱固定部材１，２の内部材４，６に補助ガイド４８，６８を設けた例を示したが、コーナー支柱１１１の支持部材を浴室ユニット１００の外方に突出させないという目的においては、補助ガイド４８，６８は必須の構成ではない。
【００９２】
以上、本発明の実施形態において、内部材４と外部材５との組合せ、また、内部材６と外部材７との組合せにより支柱固定部材を別部材で構成しているが、両者の間を水返し部材を挟持できる程度に可撓な連結部材、例えばワイヤ等で接続されている構成等、支柱固定部材は一部材で構成されてもよい。
【００９３】
以上、本発明の実施形態について図面を参照して詳述したが、具体的な構成はこの実施形態に限られるものではなく、本発明の要旨を逸脱しない範囲の設計変更等も含まれる。
また、上述の実施形態において示した構成要素は適宜に組み合わせて構成することが可能である。
【符号の説明】
【００９４】
１  コーナー支柱固定部材（支柱固定部材）
２  平面支柱固定部材（支柱固定部材）
４１，６１  内挟持部（挟持部）
４２  コーナー支柱当接片（支柱固定部）
４３  位置決めガイド
４５，５５  コーナー部
４８，６８  補助ガイド
５１，７１  外挟持部（挟持部）
５２  コーナー支柱固定部（支柱固定部）
５３，７３  離脱規制部
７２  平面支柱固定部（支柱固定部、支柱固定面）
７２１  固定具取付孔
１０１  水返し材
１１０  平面支柱（支柱）
１１１  コーナー支柱（支柱）
３０１，３０２  支柱の支持構造
【図１】
2019044452.tif 000003
【図２】
2019044452.tif 000004
【図３】
2019044452.tif 000005
【図４】
2019044452.tif 000006
【図５】
2019044452.tif 000007
【図６】
2019044452.tif 000008
【図７】
2019044452.tif 000009
【図８】
2019044452.tif 000010
【図９】
2019044452.tif 000011
【図１０】
2019044452.tif 000012
【図１１】
2019044452.tif 000013
【図１２】
2019044452.tif 000014
【図１３】
2019044452.tif 000015
【図１４】
2019044452.tif 000016
【図１５】
2019044452.tif 000017
【図１６】
2019044452.tif 000018